(57)【要約】  路情報取得部１１ａは、ＩＰアドレスの要求元のＭＡＣアドレスを送信したイーサネットスイッチ１２のポート番号を問い合わせることで、通信ネットワークの経路情報を取得し、ＩＰアドレス特定部１１ｂは、ＩＰアドレス対応表１１ｃを参照することで、通信ネットワークの経路情報に対応したＩＰアドレスを特定し、ＩＰアドレスの要求元に配信する。
2010087259.tif 000002
【特許請求の範囲】
【請求項１】
ＩＰアドレスの要求元である端末に至るまでの通信ネットワークの物理的な接続構成を示す経路情報を取得する経路情報取得部と、
前記通信ネットワークの経路情報に基づいて、前記要求元に配信されるＩＰアドレスを特定するＩＰアドレス特定部とを備えることを特徴とするＩＰアドレス配信装置。
【請求項２】
前記経路情報取得部は、
前記要求元のＭＡＣアドレスを送信したイーサネットスイッチのポート番号を問い合わせることで、前記経路情報を取得することを特徴とする請求項１に記載のＩＰアドレス配信装置。
【請求項３】
前記通信ネットワークの経路情報とＩＰアドレスとの対応関係が登録されたＩＰアドレス対応表を備え、
前記ＩＰアドレス特定部は、前記ＩＰアドレス対応表の参照結果に基づいて、前記通信ネットワークの経路情報に対応したＩＰアドレスを特定することを特徴とする請求項１または２に記載のＩＰアドレス配信装置。
【請求項４】
ＩＰアドレスの要求元に至る通信ネットワークの経路のみが有効化されるようにその他の経路を遮断する経路遮断部と、
前記経路遮断部にて有効化された通信ネットワークの経路情報に基づいて、前記要求元に配信されるＩＰアドレスを特定するＩＰアドレス特定部とを備えることを特徴とするＩＰアドレス配信装置。
【請求項５】
前記通信ネットワークの経路情報とＩＰアドレスとの対応関係が登録されたＩＰアドレス対応表を備え、
前記ＩＰアドレス特定部は、前記ＩＰアドレス対応表の参照結果に基づいて、前記経路遮断部にて有効化された経路に対応したＩＰアドレスを特定することを特徴とする請求項４に記載のＩＰアドレス配信装置。
【請求項６】
ＩＰアドレスの要求元に至る通信ネットワークの経路情報を取得する経路情報取得部と、
前記通信ネットワークが構築された列車編成の車両の位置を特定する車両情報を取得する車両情報取得部と、
前記通信ネットワークの経路情報および車両情報に基づいて、前記要求元に配信されるＩＰアドレスを特定するＩＰアドレス特定部とを備えることを特徴とするＩＰアドレス配信装置。
【請求項７】
前記通信ネットワークの経路情報と、前記車両の位置に対応して決められたＩＰアドレスとの対応関係が登録されたＩＰアドレス対応表を備え、
前記ＩＰアドレス特定部は、前記ＩＰアドレス対応表の参照結果に基づいて、前記通信ネットワークの経路情報および前記車両の位置に対応したＩＰアドレスを特定することを特徴とする請求項６に記載のＩＰアドレス配信装置。
【請求項８】
ＩＰアドレスの要求元に至る通信ネットワークの経路のみが有効化されるようにその他の経路を遮断する経路遮断部と、
前記通信ネットワークが構築された列車編成の車両の位置を特定する車両情報を取得する車両情報取得部と、
前記経路遮断部にて有効化された通信ネットワークの経路情報および車両情報に基づいて、前記要求元に配信されるＩＰアドレスを特定するＩＰアドレス特定部とを備えることを特徴とするＩＰアドレス配信装置。
【請求項９】
前記通信ネットワークの経路情報と、前記車両の位置に対応して決められたＩＰアドレスとの対応関係が登録されたＩＰアドレス対応表を備え、
前記ＩＰアドレス特定部は、前記ＩＰアドレス対応表の参照結果に基づいて、前記経路遮断部にて有効化された経路および前記車両の位置に対応したＩＰアドレスを特定することを特徴とする請求項８に記載のＩＰアドレス配信装置。
【請求項１０】
ＩＰアドレスの要求元のＭＡＣアドレスを送信したイーサネットスイッチのポート番号を問い合わせることで、前記ＩＰアドレスの要求元に至る通信ネットワークの経路情報を取得するステップと、
前記通信ネットワークの経路情報とＩＰアドレスとの対応関係が登録されたＩＰアドレス対応表の参照結果に基づいて、前記通信ネットワークの経路情報に対応したＩＰアドレスを特定するステップとを備えることを特徴とするＩＰアドレス配信方法。
【請求項１１】
ＩＰアドレスの要求元に至る通信ネットワークの経路のみが有効化されるようにその他の経路を遮断する経路遮断部と、
前記通信ネットワークの経路情報とＩＰアドレスとの対応関係が登録されたＩＰアドレス対応表の参照結果に基づいて、前記経路遮断部にて有効化された経路に対応したＩＰアドレスを特定するステップとを備えることを特徴とするＩＰアドレス配信方法。
【請求項１２】
ＩＰアドレスの要求元に至る通信ネットワークの経路情報を取得するステップと、
前記通信ネットワークが構築された列車編成の車両の位置を特定するステップと、
前記通信ネットワークの経路情報と、前記車両の位置に対応して決められたＩＰアドレスとの対応関係が登録されたＩＰアドレス対応表の参照結果に基づいて、前記通信ネットワークの経路情報および前記車両の位置に対応したＩＰアドレスを特定するステップとを備えることを特徴とするＩＰアドレス配信方法。
【請求項１３】
ＩＰアドレスの要求元に至る通信ネットワークの経路のみが有効化されるようにその他の経路を遮断するステップと、
前記通信ネットワークが構築された列車編成の車両の位置を特定する車両情報を取得するステップと、
前記通信ネットワークの経路情報と、前記車両の位置に対応して決められたＩＰアドレスとの対応関係が登録されたＩＰアドレス対応表の参照結果に基づいて、前記有効化された経路および前記車両の位置に対応したＩＰアドレスを特定するステップとを備えることを特徴とするＩＰアドレス配信方法。
【発明の詳細な説明】
【技術分野】
【０００１】
本発明はＩＰアドレス配信装置およびＩＰアドレス配信方法に関し、特に、ネットワークの経路に対応して特定されたＩＰアドレスを配信する方法に関する。
【背景技術】
【０００２】
イーサネット（登録商標）上の通信プロトコルとしてＴＣＰ／ＩＰがある。このＴＣＰ／ＩＰでは、イーサネット上の端末を識別する情報としてＩＰアドレスが使用され、このＩＰアドレスは、端末ごとに一意に割り振られる。ＩＰアドレスを一意に割り振る方法として、重複がないようにＩＰアドレスを端末に付与し、そのＩＰアドレスを端末内の記録装置に記録し、その記録されたＩＰアドレスを起動時に読み出す方法がある。【０００３】
また、自分の端末のＩＰアドレスを決定する方法として、逆アドレス解決プロトコル（ＲＡＲＰ：Ｒｅｖｅｒｓｅ  Ａｄｄｒｅｓｓ  Ｒｅｓｏｌｕｔｉｏｎ  Ｐｒｏｔｏｃｏｌ）を用いる方法がある。このＲＡＲＰは、自分の端末のＭＡＣアドレス（イーサーネットの物理アドレス）に対応するＩＰアドレスを問い合わせるためのプロトコルである。このＲＡＲＰでは、自分の端末のＭＡＣアドレスをブロードキャストすると、ネットワーク上のＲＡＲＰサーバにてＩＰアドレスが応答される。このＲＡＲＰは、外部記憶装置を持たないデバイスがネットワークに接続した際に、ＩＰアドレスを問い合わせるために有効である。【０００４】
また、ＲＡＲＰでは、ＲＡＲＰサーバにＭＡＣアドレスを予め登録されたＩＰアドレスしか対応できないなどの問題点に対処するために、ＢＯＯＴＰ（ＢＯＯＴｓｔｒａｐ  Ｐｒｏｔｏｃｏｌ）やＤＨＣＰ（Ｄｙｎａｍｉｃ  Ｈｏｓｔ  Ｃｏｎｆｉｇｕｒａｔｉｏｎ  Ｐｒｏｔｏｃｏｌ）などが使用されることもある（非特許文献１）。
【先行技術文献】
【非特許文献】
【０００５】
【非特許文献１】ＴＣＰ／ＩＰによるネットワーク構築  Ｖｏｌ．１  第４版  Ｄｏｕｇｌａｓ  Ｅ．Ｃｏｍｅｒ編（共立出版）
【発明の概要】
【発明が解決しようとする課題】
【０００６】
しかしながら、上記従来の技術によれば、通信ネットワークの配線経路に依存することなく、ＩＰアドレスを要求する端末に固有のＭＡＣアドレスに対応してＩＰアドレスが割り振られる。このため、通信ネットワーク上のある特定の箇所に接続された端末ＡにＩＰアドレスＸが割り振られた後、その通信ネットワーク上の同一の箇所に接続された端末ＡからＩＰアドレス要求が再度行われた場合においても、ＩＰアドレスＸとは異なるＩＰアドレスＹが端末Ａに割り振られることがあることから、端末Ａの運用に支障をきたすことがあるという問題があった。【０００７】
本発明は、上記に鑑みてなされたものであって、ネットワーク上の物理的な配線経路に対応させてＩＰアドレスを配信することが可能なＩＰアドレス配信装置およびＩＰアドレス配信方法を得ることを目的とする。
【課題を解決するための手段】
【０００８】
上述した課題を解決し、目的を達成するために、本発明のＩＰアドレス配信装置は、ＩＰアドレスの要求元である端末に至るまでの通信ネットワークの物理的な接続構成を示す経路情報を取得する経路情報取得部と、前記通信ネットワークの経路情報に基づいて、前記要求元に配信されるＩＰアドレスを特定するＩＰアドレス特定部とを備えることを特徴とする。
【発明の効果】
【０００９】
この発明によれば、ネットワーク上の物理的な配線経路に対応させてＩＰアドレスを配信することが可能という効果を奏する。
【図面の簡単な説明】
【００１０】
【図１】図１は、本発明に係るＩＰアドレス配信装置１１が適用されるシステムの実施の形態１の概略構成を示すブロック図である。
【図２】図２は、図１のＩＰアドレス対応表１１ｃの内容の一例を示す図である。
【図３】図３は、図１のＩＰアドレス配信装置１１によるＩＰアドレス配信時の動作を示す図である。
【図４】図４は、本発明に係るＩＰアドレス配信装置２１が適用されるシステムの実施の形態２の概略構成を示すブロック図である。
【図５】図５は、図４のＩＰアドレス対応表２１ｃの内容の一例を示す図である。
【図６】図６は、図４のＩＰアドレス配信装置２１によるＩＰアドレス配信時の動作を示す図である。
【図７】図７は、本発明に係るＩＰアドレス配信装置３１が適用されるシステムの実施の形態３の概略構成を示すブロック図である。
【図８】図８は、図７のＩＰアドレス対応表３１ｃの内容の一例を示す図である。
【図９】図９は、図７のＩＰアドレス配信装置３１によるＩＰアドレス配信時の動作を示す図である。
【図１０】図１０は、本発明に係るＩＰアドレス配信装置４１が適用されるシステムの実施の形態３の概略構成を示すブロック図である。
【図１１】図１１は、図１０のＩＰアドレス配信装置４１によるＩＰアドレス配信時の動作を示す図である。
【発明を実施するための形態】
【００１１】
以下に、本発明に係るＩＰアドレス配信装置の実施の形態を図面に基づいて詳細に説明する。なお、この実施の形態によりこの発明が限定されるものではない。
【００１２】
実施の形態１．
図１は、本発明に係るＩＰアドレス配信装置１１が適用されるシステムの実施の形態１の概略構成を示すブロック図である。図１において、通信ネットワーク上には、ＩＰアドレス配信装置１１、イーサネットスイッチ１２および端末Ｔ１〜Ｔ４が設けられ、ＩＰアドレス配信装置１１は、イーサネットスイッチ１２を介して端末Ｔ１〜Ｔ４に接続されている。なお、通信ネットワークとしては、例えば、イーサネットを用いることができる。
【００１３】
ここで、ＩＰアドレス配信装置１１は、イーサネットスイッチ１２のポートＰ０に接続され、端末Ｔ１〜Ｔ４は、イーサネットスイッチ１２のポートＰ１〜Ｐ４にそれぞれ接続されることで、通信ネットワークの配線経路が構築されている。なお、イーサネットスイッチ１２は、イーサネット上でスイッチングバブとして動作することができ、どのＭＡＣアドレスがどのポートＰ０〜Ｐ４を通過したかを判別することができる。
【００１４】
ここで、ＩＰアドレス配信装置１１には、経路情報取得部１１ａ、ＩＰアドレス特定部１１ｂおよびＩＰアドレス対応表１１ｃが設けられている。経路情報取得部１１ａは、ＩＰアドレスの要求元に至る通信ネットワークの経路情報を取得することができる。例えば、経路情報取得部１１ａは、ＩＰアドレスの要求元のＭＡＣアドレスを送信したイーサネットスイッチ１２のポート番号を問い合わせることで、通信ネットワークの経路情報を取得することができる。ＩＰアドレス特定部１１ｂは、通信ネットワークの経路情報に基づいて、ＩＰアドレスの要求元に配信されるＩＰアドレスを特定することができる。ＩＰアドレス対応表１１ｃは、通信ネットワークの経路情報とＩＰアドレスとの対応関係を登録することができる。
【００１５】
図２は、図１のＩＰアドレス対応表１１ｃの内容の一例を示す図である。図２において、イーサネットスイッチ１２のポートＰ１〜Ｐ４のポート番号がそれぞれ１〜４であるものとすると、ＩＰアドレス対応表１１ｃには、ポート番号１〜４にそれぞれ対応して互いに異なるＩＰアドレスが登録される。
【００１６】
そして、ポート番号１のポートＰ１に接続された端末Ｔ１には、端末Ｔ１からの要求に応じて‘１９２．１６８．１．１’というＩＰアドレスを割り当てることができる。また、ポート番号２のポートＰ２に接続された端末Ｔ２には、端末Ｔ２からの要求に応じて‘１９２．１６８．１．２’というＩＰアドレスを割り当てることができる。また、ポート番号３のポートＰ３に接続された端末Ｔ３には、端末Ｔ３からの要求に応じて‘１９２．１６８．１．３’というＩＰアドレスを割り当てることができる。また、ポート番号４のポートＰ４に接続された端末Ｔ４には、端末Ｔ４からの要求に応じて‘１９２．１６８．１．４’というＩＰアドレスを割り当てることができる。
【００１７】
図３は、図１のＩＰアドレス配信装置１１によるＩＰアドレス配信時の動作を示す図である。図３において、例えば、図１の端末Ｔ１からＩＰアドレス要求があった場合（Ｓ１１）、そのＩＰアドレス要求は、イーサネットスイッチ１２を介してＩＰアドレス配信装置１１に送信される。なお、このＩＰアドレス要求では、ＩＰアドレス要求メッセージがブロードキャストにて送信される。このＩＰアドレス要求メッセージの配信先アドレスには、ブロードキャストアドレスが設定され、配信元アドレスには、端末Ｔ１のＭＡＣアドレスが設定される。
【００１８】
そして、端末Ｔ１からのＩＰアドレス要求がＩＰアドレス配信装置１１にて受信されると、経路情報取得部１１ａにおいて、そのＩＰアドレス要求からＭＡＣアドレスが抽出される。そして、そのＭＡＣアドレスがどのポートＰ１〜Ｐ４で受信されたかという問い合わせがイーサネットスイッチ１２に送られ（Ｓ１２）、イーサネットスイッチ１２において、そのＭＡＣアドレスがどのポートＰ１〜Ｐ４で受信されたかの判別が行われる。そして、そのＭＡＣアドレスがポートＰ１で受信されたものとすると、そのＭＡＣアドレスがポートＰ１にて受信されたという旨がイーサネットスイッチ１２からＩＰアドレス配信装置１１に返信される（Ｓ１３）。
【００１９】
そして、そのＭＡＣアドレスがポートＰ１にて受信されたという旨がＩＰアドレス配信装置１１に返信されると、ＩＰアドレス特定部１１ｂにおいて、ＩＰアドレス対応表１１ｃが参照されることにより、ポートＰ１のポート番号１に対応したＩＰアドレスが特定される。
【００２０】
そして、ポートＰ１のポート番号１に対応したＩＰアドレスが特定されると、そのＩＰアドレスがＩＰアドレスの要求元の端末Ｔ１に配信される（Ｓ１４）。なお、このＩＰアドレスの配信では、ＩＰアドレス配信メッセージがユニキャストにて送信される。このＩＰアドレス配信メッセージの配信先アドレスには、端末Ｔ１のＭＡＣアドレスが設定され、配信元アドレスには、ＩＰアドレス配信装置１１のＭＡＣアドレスが設定される。ここで、ＩＰアドレス配信装置１１にてＩＰアドレスが配信されると、そのＩＰアドレスの配信がどのポートのどのＭＡＣアドレスの端末を対象としたかが記憶される。
【００２１】
そして、ＩＰアドレス配信装置１１から送られたＩＰアドレスが端末Ｔ１にて受信されると、そのＩＰアドレスが端末Ｔ１のＩＰアドレスとして設定される。そして、そのＩＰアドレスを用いることにより、端末Ｔ１との間で通信を行うことができる。
【００２２】
また、ポートＰ１のポート番号１に対応したＩＰアドレスが配信された後、イーサネットスイッチ１２のポートＰ１を介してＩＰアドレス要求がＩＰアドレス配信装置１１にて再度受信されると、今回のＩＰアドレス要求に含まれる配信元のＭＡＣアドレスと、そのＩＰアドレスが既に配信された配信元のＭＡＣアドレスとが同一であるかどうかが判断される。
【００２３】
そして、今回のＩＰアドレス要求に含まれる配信元のＭＡＣアドレスと、ＩＰアドレスが既に配信された配信元のＭＡＣアドレスとが同一である場合、既に配信されたＩＰアドレスが今回のＩＰアドレスの要求元に配信される。例えば、端末Ｔ１からのＩＰアドレス要求に応じて‘１９２．１６８．１．１’というＩＰアドレスが端末Ｔ１に配信された後、イーサネットスイッチ１２のポートＰ１に接続されたまま端末Ｔ１からのＩＰアドレス要求が再度あった場合、‘１９２．１６８．１．１’というＩＰアドレスが端末Ｔ１に再度配信される。
【００２４】
一方、今回のＩＰアドレス要求に含まれる配信元のＭＡＣアドレスと、ＩＰアドレスが既に配信された配信元のＭＡＣアドレスとが異なる場合、既に配信されたＩＰアドレスと異なるＩＰアドレスが特定され、今回のＩＰアドレスの要求元に配信される。例えば、端末Ｔ１からのＩＰアドレス要求に応じて‘１９２．１６８．１．１’というＩＰアドレスが端末Ｔ１に配信された後、端末Ｔ１の代わりに端末Ｔ５がイーサネットスイッチ１２のポートＰ１に接続されたものとする。そして、端末Ｔ５からのＩＰアドレス要求がイーサネットスイッチ１２のポートＰ１を介して行われた場合、例えば、‘１９２．１６８．１．５’というＩＰアドレスが端末Ｔ５に配信される。
【００２５】
これにより、イーサネットスイッチ１２のポートＰ１に接続された端末Ｔ１に‘１９２．１６８．１．１’というＩＰアドレスが割り当てられた後、その端末Ｔ１に割り当てられたＩＰアドレスの再設定が行われる場合においても、‘１９２．１６８．１．１’というＩＰアドレスを端末Ｔ１に固定的に割り当てることができる。このため、イーサネットスイッチ１２のポートＰ１に接続された端末Ｔ１に前回とは異なるＩＰアドレスが割り当てられるのを防止することが可能となることから、固定的な通信ネットワーク上で端末Ｔ１を効率よく運用することができる。
【００２６】
なお、ＩＰアドレス配信装置１１は、ＤＨＣＰサーバの代わりに使用し、端末Ｔ１〜Ｔ４は、ＤＨＣＰクライアントとして動作させるようにしてもよい。
【００２７】
また、イーサネットスイッチ１２のポートＰ１〜Ｐ４の一部に対応したＩＰアドレスをＩＰアドレス対応表１１ｃに登録し、残りのポートＰ１〜Ｐ４についてはＤＨＣＰなどのプロトコルを使用できるようにしてもよい。
【００２８】
実施の形態２．
図４は、本発明に係るＩＰアドレス配信装置２１が適用されるシステムの実施の形態２の概略構成を示すブロック図である。図４において、通信ネットワーク上には、ＩＰアドレス配信装置２１、イーサネットスイッチ１２、１３および端末Ｔ１〜Ｔ４、Ｔ１１、Ｔ２１、Ｔ３１が設けられ、ＩＰアドレス配信装置２１は、イーサネットスイッチ１３、１２を順次介して端末Ｔ１〜Ｔ４に接続されるとともに、イーサネットスイッチ１３を介して端末Ｔ１１、Ｔ２１、Ｔ３１に接続されている。なお、通信ネットワークとしては、例えば、イーサネットを用いることができる。
【００２９】
ここで、ＩＰアドレス配信装置２１は、イーサネットスイッチ１３のポートＰ０に接続され、イーサネットスイッチ１２のポートＰ０は、イーサネットスイッチ１３のポートＰ１に接続され、端末Ｔ１１、Ｔ２１、Ｔ３１は、イーサネットスイッチ１３のポートＰ２〜Ｐ４にそれぞれ接続され、端末Ｔ１〜Ｔ４は、イーサネットスイッチ１２のポートＰ１〜Ｐ４にそれぞれ接続されることで、通信ネットワークの配線経路が構築されている。なお、イーサネットスイッチ１２、１３は、イーサネット上でスイッチングバブとして動作することができ、どのＭＡＣアドレスが自分のイーサネットスイッチ１２、１３のどのポートＰ０〜Ｐ４を通過したかを判別することができる。
【００３０】
ここで、ＩＰアドレス配信装置２１には、経路情報取得部２１ａ、ＩＰアドレス特定部２１ｂおよびＩＰアドレス対応表２１ｃが設けられている。経路情報取得部２１ａは、ＩＰアドレスの要求元に至る通信ネットワークの経路情報を取得することができる。例えば、経路情報取得部２１ａは、ＩＰアドレスの要求元のＭＡＣアドレスを送信したイーサネットスイッチ１２、１３のポート番号を問い合わせることで、通信ネットワークの経路情報を取得することができる。ＩＰアドレス特定部２１ｂは、通信ネットワークの経路情報に基づいて、ＩＰアドレスの要求元に配信されるＩＰアドレスを特定することができる。ＩＰアドレス対応表２１ｃは、通信ネットワークの経路情報とＩＰアドレスとの対応関係を登録することができる。
【００３１】
図５は、図４のＩＰアドレス対応表２１ｃの内容の一例を示す図である。図５において、イーサネットスイッチ１２のポートＰ１〜Ｐ４のポート番号がそれぞれ１〜４であるものとすると、ＩＰアドレス対応表２１ｃには、イーサネットスイッチ１２のポートＰ１〜Ｐ４のポート番号１〜４にそれぞれ対応して互いに異なるＩＰアドレスが登録される。
【００３２】
また、イーサネットスイッチ１３のポートＰ１〜Ｐ４のポート番号がそれぞれ１〜４であるものとし、イーサネットスイッチ１３のポートＰ１にはイーサネットスイッチ１２が接続されているものとすると、ＩＰアドレス対応表２１ｃには、イーサネットスイッチ１３のポートＰ２〜Ｐ４のポート番号２〜４にそれぞれ対応して互いに異なるＩＰアドレスが登録される。
【００３３】
そして、イーサネットスイッチ１２のポートＰ１に接続された端末Ｔ１には、端末Ｔ１からの要求に応じて‘１９２．１６８．１．１’というＩＰアドレスを割り当てることができる。また、イーサネットスイッチ１２のポートＰ２に接続された端末Ｔ２には、端末Ｔ２からの要求に応じて‘１９２．１６８．１．２’というＩＰアドレスを割り当てることができる。また、イーサネットスイッチ１２のポートＰ３に接続された端末Ｔ３には、端末Ｔ３からの要求に応じて‘１９２．１６８．１．３’というＩＰアドレスを割り当てることができる。また、イーサネットスイッチ１２のポートＰ４に接続された端末Ｔ４には、端末Ｔ４からの要求に応じて‘１９２．１６８．１．４’というＩＰアドレスを割り当てることができる。
【００３４】
さらに、イーサネットスイッチ１３のポートＰ２に接続された端末Ｔ１１には、端末Ｔ１１からの要求に応じて‘１９２．１６８．１．１１’というＩＰアドレスを割り当てることができる。また、イーサネットスイッチ１３のポートＰ３に接続された端末Ｔ２１には、端末Ｔ２１からの要求に応じて‘１９２．１６８．１．２１’というＩＰアドレスを割り当てることができる。また、イーサネットスイッチ１３のポートＰ４に接続された端末Ｔ３１には、端末Ｔ３１からの要求に応じて‘１９２．１６８．１．３１’というＩＰアドレスを割り当てることができる。
【００３５】
図６は、図４のＩＰアドレス配信装置２１によるＩＰアドレス配信時の動作を示す図である。図６において、例えば、図４の端末Ｔ１からＩＰアドレス要求があった場合（Ｓ２１）、そのＩＰアドレス要求は、イーサネットスイッチ１２、１３を順次介してＩＰアドレス配信装置２１に送信される。なお、このＩＰアドレス要求では、ＩＰアドレス要求メッセージがブロードキャストにて送信される。このＩＰアドレス要求メッセージの配信先アドレスには、ブロードキャストアドレスが設定され、配信元アドレスには、端末Ｔ１のＭＡＣアドレスが設定される。
【００３６】
そして、端末Ｔ１からのＩＰアドレス要求がＩＰアドレス配信装置２１にて受信されると、経路情報取得部２１ａにおいて、そのＩＰアドレス要求からＭＡＣアドレスが抽出される。そして、そのＭＡＣアドレスがどのポートＰ１〜Ｐ４で受信されたかという問い合わせがイーサネットスイッチ１３に送られ（Ｓ２２）、イーサネットスイッチ１３において、そのＭＡＣアドレスがどのポートＰ１〜Ｐ４で受信されたかの判別が行われる。そして、そのＭＡＣアドレスがポートＰ１〜Ｐ４で受信されたものとすると、そのＭＡＣアドレスがポートＰ１にて受信されたという旨がイーサネットスイッチ１３からＩＰアドレス配信装置２１に返信される（Ｓ２３）。
【００３７】
そして、そのＭＡＣアドレスがポートＰ１にて受信されたという旨がＩＰアドレス配信装置２１に返信されると、ＩＰアドレス特定部２１ｂにおいて、ＩＰアドレス対応表２１ｃが参照される。そして、端末Ｔ１からのＩＰアドレス要求に対してＩＰアドレスを特定するには、そのＭＡＣアドレスがイーサネットスイッチ１２のどのポートＰ１〜Ｐ４を介して送られたかを知ることが必要であると判断される。
【００３８】
このため、そのＭＡＣアドレスがイーサネットスイッチ１２のどのポートＰ１〜Ｐ４で受信されたかという問い合わせがイーサネットスイッチ１２に送られ（Ｓ２４）、イーサネットスイッチ１２において、そのＭＡＣアドレスがどのポートＰ１〜Ｐ４で受信されたかの判別が行われる。そして、そのＭＡＣアドレスがイーサネットスイッチ１２のポートＰ１で受信されたものとすると、そのＭＡＣアドレスがポートＰ１にて受信されたという旨がイーサネットスイッチ１２からＩＰアドレス配信装置２１に返信される（Ｓ２５）。
【００３９】
そして、そのＭＡＣアドレスがイーサネットスイッチ１２のポートＰ１にて受信されたという旨がＩＰアドレス配信装置２１に返信されると、ＩＰアドレス特定部２１ｂにおいて、ＩＰアドレス対応表２１ｃが参照されることにより、イーサネットスイッチ１２のポートＰ１のポート番号１に対応したＩＰアドレスが特定される。
【００４０】
そして、イーサネットスイッチ１２のポートＰ１のポート番号１に対応したＩＰアドレスが特定されると、そのＩＰアドレスがＩＰアドレスの要求元の端末Ｔ１に配信される（Ｓ２６）。なお、このＩＰアドレスの配信では、ＩＰアドレス配信メッセージがユニキャストにて送信される。このＩＰアドレス配信メッセージの配信先アドレスには、端末Ｔ１のＭＡＣアドレスが設定され、配信元アドレスには、ＩＰアドレス配信装置１１のＭＡＣアドレスが設定される。ここで、ＩＰアドレス配信装置２１にてＩＰアドレスが配信されると、そのＩＰアドレスの配信がどのポートのどのＭＡＣアドレスの端末を対象としたかが記憶される。
【００４１】
そして、ＩＰアドレス配信装置１１から送られたＩＰアドレスが端末Ｔ１にて受信されると、そのＩＰアドレスが端末Ｔ１のＩＰアドレスとして設定される。そして、そのＩＰアドレスを用いることにより、端末Ｔ１との間で通信を行うことができる。
【００４２】
また、イーサネットスイッチ１２のポートＰ１のポート番号１に対応したＩＰアドレスが配信された後、イーサネットスイッチ１２のポートＰ１およびイーサネットスイッチ１３のポートＰ１を介してＩＰアドレス要求がＩＰアドレス配信装置２１にて再度受信されると、今回のＩＰアドレス要求に含まれる配信元のＭＡＣアドレスと、そのＩＰアドレスが既に配信された配信元のＭＡＣアドレスとが同一であるかどうかが判断される。
【００４３】
そして、今回のＩＰアドレス要求に含まれる配信元のＭＡＣアドレスと、ＩＰアドレスが既に配信された配信元のＭＡＣアドレスとが同一である場合、既に配信されたＩＰアドレスが今回のＩＰアドレスの要求元に配信される。例えば、端末Ｔ１からのＩＰアドレス要求に応じて‘１９２．１６８．１．１’というＩＰアドレスが端末Ｔ１に配信された後、イーサネットスイッチ１２のポートＰ１に接続されたまま端末Ｔ１からのＩＰアドレス要求が再度あった場合、‘１９２．１６８．１．１’というＩＰアドレスが端末Ｔ１に再度配信される。
【００４４】
一方、今回のＩＰアドレス要求に含まれる配信元のＭＡＣアドレスと、ＩＰアドレスが既に配信された配信元のＭＡＣアドレスとが異なる場合、既に配信されたＩＰアドレスと異なるＩＰアドレスが特定され、今回のＩＰアドレスの要求元に配信される。例えば、端末Ｔ１からのＩＰアドレス要求に応じて‘１９２．１６８．１．１’というＩＰアドレスが端末Ｔ１に配信された後、端末Ｔ１の代わりに端末Ｔ５がイーサネットスイッチ１２のポートＰ１に接続されたものとする。そして、端末Ｔ５からのＩＰアドレス要求がイーサネットスイッチ１２のポートＰ１およびイーサネットスイッチ１３のポートＰ１を介して行われた場合、例えば、‘１９２．１６８．１．５’というＩＰアドレスが端末Ｔ５に配信される。
【００４５】
これにより、ＩＰアドレス配信装置２１と端末Ｔ１との間に複数のイーサネットスイッチ１２、１３が介在している場合においても、イーサネットスイッチ１２のポートＰ１に接続された端末Ｔ１に‘１９２．１６８．１．１’というＩＰアドレスを固定的に割り当てることができる。このため、イーサネットスイッチ１２のポートＰ１に接続された端末Ｔ１に前回とは異なるＩＰアドレスが割り当てられるのを防止することが可能となることから、固定的な通信ネットワーク上で端末Ｔ１を効率よく運用することができる。
【００４６】
なお、ＩＰアドレス配信装置２１は、ＤＨＣＰサーバの代わりに使用し、端末Ｔ１〜Ｔ４、Ｔ１１、Ｔ２１、Ｔ３１は、ＤＨＣＰクライアントとして動作させるようにしてもよい。
【００４７】
また、イーサネットスイッチ１２のポートＰ１〜Ｐ４の一部またはイーサネットスイッチ１３のポートＰ１〜Ｐ４の一部に対応したＩＰアドレスをＩＰアドレス対応表２１ｃに登録し、残りのポートＰ１〜Ｐ４についてはＤＨＣＰなどのプロトコルを使用できるようにしてもよい。
【００４８】
実施の形態３．
図７は、本発明に係るＩＰアドレス配信装置３１が適用されるシステムの実施の形態３の概略構成を示すブロック図である。図７において、列車編成には車両Ｋ１〜ＫＭ（Ｍは１以上の整数）が設けられ、Ｎ（Ｎは１以上Ｍ以下の整数）番目の車両ＫＮには、車両情報管理部３２が設けられている。なお、車両情報管理部３２は、列車編成の車両Ｋ１〜ＫＭの位置を特定する車両情報を管理することができる。
【００４９】
また、Ｎ番目の車両ＫＮに構築された通信ネットワーク上には、ＩＰアドレス配信装置３１、イーサネットスイッチ１２および端末Ｔ１〜Ｔ４が設けられ、ＩＰアドレス配信装置３１は、イーサネットスイッチ１２を介して端末Ｔ１〜Ｔ４に接続されている。なお、通信ネットワークとしては、例えば、イーサネットを用いることができる。また、車両ＫＮ上の端末Ｔ１〜Ｔ４としては、車両ＫＮを運用するために外部からの指令信号に基づいて動作する装置、例えば、ドア開閉装置、ブレーキ装置、照明装置または空調装置などを用いることができる。
【００５０】
ここで、ＩＰアドレス配信装置３１は、イーサネットスイッチ１２のポートＰ０に接続され、端末Ｔ１〜Ｔ４は、イーサネットスイッチ１２のポートＰ１〜Ｐ４にそれぞれ接続されることで、通信ネットワークの配線経路が構築されている。
【００５１】
ここで、ＩＰアドレス配信装置３１には、経路情報取得部３１ａ、ＩＰアドレス特定部３１ｂ、ＩＰアドレス対応表３１ｃおよび車両情報取得部３１ｄが設けられている。経路情報取得部３１ａは、ＩＰアドレスの要求元に至る通信ネットワークの経路情報を取得することができる。例えば、経路情報取得部３１ａは、ＩＰアドレスの要求元のＭＡＣアドレスを送信したイーサネットスイッチ１２のポート番号を問い合わせることで、通信ネットワークの経路情報を取得することができる。車両情報取得部３１ｄは、通信ネットワークが構築された列車編成の車両の位置を特定する車両情報を取得することができる。ＩＰアドレス特定部３１ｂは、通信ネットワークの経路情報および車両情報に基づいて、ＩＰアドレスの要求元に配信されるＩＰアドレスを特定することができる。ＩＰアドレス対応表３１ｃは、通信ネットワークの経路情報と、車両の位置に対応して決められたＩＰアドレスとの対応関係を登録することができる。
【００５２】
図８は、図７のＩＰアドレス対応表３１ｃの内容の一例を示す図である。図８において、ＩＰアドレス配信装置３１がＮ番目の車両ＫＮに配置され、イーサネットスイッチ１２のポートＰ１〜Ｐ４のポート番号がそれぞれ１〜４であるものとする。この場合、ＩＰアドレス対応表３１ｃには、車両ＫＮの番号Ｎおよびポート番号１〜４にそれぞれ対応して互いに異なるＩＰアドレスが登録される。
【００５３】
そして、車両ＫＮにおいて、ポート番号１のポートＰ１に接続された端末Ｔ１には、端末Ｔ１からの要求に応じて‘１９２．１６８．Ｎ．１’というＩＰアドレスを割り当てることができる。また、車両ＫＮにおいて、ポート番号２のポートＰ２に接続された端末Ｔ２には、端末Ｔ２からの要求に応じて‘１９２．１６８．Ｎ．２’というＩＰアドレスを割り当てることができる。また、車両ＫＮにおいて、ポート番号３のポートＰ３に接続された端末Ｔ３には、端末Ｔ３からの要求に応じて‘１９２．１６８．Ｎ．３’というＩＰアドレスを割り当てることができる。また、車両ＫＮにおいて、ポート番号４のポートＰ４に接続された端末Ｔ４には、端末Ｔ４からの要求に応じて‘１９２．１６８．Ｎ．４’というＩＰアドレスを割り当てることができる。
【００５４】
図９は、図７のＩＰアドレス配信装置３１によるＩＰアドレス配信時の動作を示す図である。図９において、図７の車両情報管理部３２から車両情報が車両情報取得部３１ｄに送られると、その車両情報に対応したＩＰアドレスがポート番号１〜４ごとにＩＰアドレス対応表３１ｃに登録される。例えば、ＩＰアドレス配信装置３１から車両ＫＮの通信ネットワークにＩＰアドレスが配信されるものとすると、車両ＫＮの番号Ｎに対応したＩＰアドレスがポート番号１〜４ごとにＩＰアドレス対応表３１ｃに登録される（Ｓ３０）。
【００５５】
そして、図７の端末Ｔ１からＩＰアドレス要求があった場合（Ｓ３１）、そのＩＰアドレス要求は、イーサネットスイッチ１２を介してＩＰアドレス配信装置３１に送信される。なお、このＩＰアドレス要求では、ＩＰアドレス要求メッセージがブロードキャストにて送信される。このＩＰアドレス要求メッセージの配信先アドレスには、ブロードキャストアドレスが設定され、配信元アドレスには、端末Ｔ１のＭＡＣアドレスが設定される。
【００５６】
そして、端末Ｔ１からのＩＰアドレス要求がＩＰアドレス配信装置３１にて受信されると、経路情報取得部３１ａにおいて、そのＩＰアドレス要求からＭＡＣアドレスが抽出される。そして、そのＭＡＣアドレスがどのポートＰ１〜Ｐ４で受信されたかという問い合わせがイーサネットスイッチ１２に送られ（Ｓ３２）、イーサネットスイッチ１２において、そのＭＡＣアドレスがどのポートＰ１〜Ｐ４で受信されたかの判別が行われる。そして、そのＭＡＣアドレスがポートＰ１〜Ｐ４で受信されたものとすると、そのＭＡＣアドレスがポートＰ１にて受信されたという旨がイーサネットスイッチ１２からＩＰアドレス配信装置３１に返信される（Ｓ３３）。
【００５７】
そして、そのＭＡＣアドレスがポートＰ１にて受信されたという旨がＩＰアドレス配信装置３１に返信されると、ＩＰアドレス特定部３１ｂにおいて、ＩＰアドレス対応表３１ｃが参照されることにより、車両ＫＮの番号ＮおよびポートＰ１のポート番号１に対応したＩＰアドレスが特定される。
【００５８】
そして、車両ＫＮの番号ＮおよびポートＰ１のポート番号１に対応したＩＰアドレスが特定されると、そのＩＰアドレスがＩＰアドレスの要求元の端末Ｔ１に配信される（Ｓ３４）。なお、このＩＰアドレスの配信では、ＩＰアドレス配信メッセージがユニキャストにて送信される。このＩＰアドレス配信メッセージの配信先アドレスには、端末Ｔ１のＭＡＣアドレスが設定され、配信元アドレスには、ＩＰアドレス配信装置１１のＭＡＣアドレスが設定される。ここで、ＩＰアドレス配信装置３１にてＩＰアドレスが配信されると、そのＩＰアドレスの配信がどのポートのどのＭＡＣアドレスの端末を対象としたかが記憶される。
【００５９】
そして、ＩＰアドレス配信装置３１から送られたＩＰアドレスが端末Ｔ１にて受信されると、そのＩＰアドレスが端末Ｔ１のＩＰアドレスとして設定される。そして、そのＩＰアドレスを用いることにより、端末Ｔ１との間で通信を行うことができる。
【００６０】
また、ポートＰ１のポート番号１に対応したＩＰアドレスが配信された後、イーサネットスイッチ１２のポートＰ１を介してＩＰアドレス要求がＩＰアドレス配信装置３１にて再度受信されると、今回のＩＰアドレス要求に含まれる配信元のＭＡＣアドレスと、そのＩＰアドレスが既に配信された配信元のＭＡＣアドレスとが同一であるかどうかが判断される。
【００６１】
そして、今回のＩＰアドレス要求に含まれる配信元のＭＡＣアドレスと、ＩＰアドレスが既に配信された配信元のＭＡＣアドレスとが同一である場合、既に配信されたＩＰアドレスが今回のＩＰアドレスの要求元に配信される。例えば、端末Ｔ１からのＩＰアドレス要求に応じて‘１９２．１６８．Ｎ．１’というＩＰアドレスが端末Ｔ１に配信された後、イーサネットスイッチ１２のポートＰ１に接続されたまま端末Ｔ１からのＩＰアドレス要求が再度あった場合、‘１９２．１６８．Ｎ．１’というＩＰアドレスが端末Ｔ１に再度配信される。
【００６２】
一方、今回のＩＰアドレス要求に含まれる配信元のＭＡＣアドレスと、ＩＰアドレスが既に配信された配信元のＭＡＣアドレスとが異なる場合、既に配信されたＩＰアドレスと異なるＩＰアドレスが特定され、今回のＩＰアドレスの要求元に配信される。例えば、端末Ｔ１からのＩＰアドレス要求に応じて‘１９２．１６８．Ｎ．１’というＩＰアドレスが端末Ｔ１に配信された後、端末Ｔ１の代わりに端末Ｔ５がイーサネットスイッチ１２のポートＰ１に接続されたものとする。そして、端末Ｔ５からのＩＰアドレス要求がイーサネットスイッチ１２のポートＰ１を介して行われた場合、例えば、‘１９２．１６８．Ｎ．５’というＩＰアドレスが端末Ｔ５に配信される。
【００６３】
これにより、イーサネットスイッチ１２のポートＰ１に接続された端末Ｔ１に‘１９２．１６８．１．１’というＩＰアドレスを固定的に割り当てることができ、イーサネットスイッチ１２のポートＰ１に接続された端末Ｔ１に前回とは異なるＩＰアドレスが割り当てられるのを防止することが可能となる。このため、‘１９２．１６８．１．１’というＩＰアドレスが割り当てられる端末Ｔ１の機能を特定することが可能となり、‘１９２．１６８．１．１’というＩＰアドレスには、その端末Ｔ１の機能に対応した特定の指令信号のみを与えればよく、全ての指令信号を与える必要がなくなることから、端末Ｔ１にかかる負荷を低減することが可能となる。
【００６４】
また、ＩＰアドレスを端末Ｔ１〜Ｔ４に固定的に割り当てることにより、車両ＫＮ内で故障が発生した場合においても、故障箇所の判別を容易化することが可能となる。なお、ＩＰアドレス配信装置３１は、ＤＨＣＰサーバの代わりに使用し、端末Ｔ１〜Ｔ４は、ＤＨＣＰクライアントとして動作させるようにしてもよい。
【００６５】
また、イーサネットスイッチ１２のポートＰ１〜Ｐ４の一部に対応したＩＰアドレスをＩＰアドレス対応表１１ｃに登録し、残りのポートＰ１〜Ｐ４についてはＤＨＣＰなどのプロトコルを使用できるようにしてもよい。
【００６６】
実施の形態４．
図１０は、本発明に係るＩＰアドレス配信装置４１が適用されるシステムの実施の形態３の概略構成を示すブロック図である。図１０において、通信ネットワーク上には、ＩＰアドレス配信装置４１、イーサネットスイッチ１２および端末Ｔ１〜Ｔ４が設けられ、ＩＰアドレス配信装置４１は、イーサネットスイッチ１２を介して端末Ｔ１〜Ｔ４に接続されている。なお、通信ネットワークとしては、例えば、イーサネットを用いることができる。
【００６７】
ここで、ＩＰアドレス配信装置４１は、イーサネットスイッチ１２のポートＰ０に接続され、端末Ｔ１〜Ｔ４は、イーサネットスイッチ１２のポートＰ１〜Ｐ４にそれぞれ接続されることで、通信ネットワークの配線経路が構築されている。
【００６８】
ここで、ＩＰアドレス配信装置４１には、経路遮断部４１ａ、ＩＰアドレス特定部４１ｂおよびＩＰアドレス対応表４１ｃが設けられている。経路遮断部４１ａは、ＩＰアドレスの要求元に至る通信ネットワークの経路のみが有効化されるようにその他の経路を遮断することができる。ＩＰアドレス特定部４１ｂは、経路遮断部４１ａにて有効化された通信ネットワークの経路情報に基づいて、ＩＰアドレスの要求元に配信されるＩＰアドレスを特定することができる。ＩＰアドレス対応表４１ｃは、通信ネットワークの経路情報とＩＰアドレスとの対応関係を登録することができる。なお、ＩＰアドレス対応表４１ｃには、図２のＩＰアドレス対応表１１ｃと同様の内容を登録することができる。
【００６９】
図１１は、図１０のＩＰアドレス配信装置４１によるＩＰアドレス配信時の動作を示す図である。図１１において、ＩＰアドレス対応表４１ｃには、図２に示すように、イーサネットスイッチ１２のポートＰ１〜Ｐ４にそれぞれ対応したＩＰアドレスが登録されているものとすると、それらのポートＰ１〜Ｐ４のうちの１個のみの通信が順次有効化されるように経路遮断部４１ａからイーサネットスイッチ１２に指示される（Ｓ４１、Ｓ４４）。例えば、Ｓ４１では、イーサネットスイッチ１２のポートＰ１のみの通信が有効化されるようにポートＰ２〜Ｐ４の通信経路を遮断し、Ｓ４４では、イーサネットスイッチ１２のポートＰ２のみの通信が有効化されるようにポートＰ１、Ｐ３、Ｐ４の通信経路を遮断することができる。なお、経路遮断部４１ａは、イーサネットスイッチ１２のポートＰ１〜Ｐ４うちの１個のみの通信が順次有効化されるように周期的に繰り返すことができる。
【００７０】
一方、端末Ｔ１からＩＰアドレス要求が行われるものとすると、そのＩＰアドレス要求が端末Ｔ１から周期的に送信される。なお、このＩＰアドレス要求では、ＩＰアドレス要求メッセージがブロードキャストにて送信される。このＩＰアドレス要求メッセージの配信先アドレスには、ブロードキャストアドレスが設定され、配信元アドレスには、端末Ｔ１のＭＡＣアドレスが設定される。
【００７１】
ここで、イーサネットスイッチ１２のポートＰ１のみの通信が有効化された時に端末Ｔ１からＩＰアドレス要求があると、そのＩＰアドレス要求は、イーサネットスイッチ１２を介してＩＰアドレス配信装置４１に送信される（Ｓ４２）。
【００７２】
そして、端末Ｔ１からのＩＰアドレス要求がＩＰアドレス配信装置４１にて受信されると、ＩＰアドレス特定部４１ｂにおいて、ＩＰアドレス対応表４１ｃが参照されることにより、ポートＰ１のポート番号１に対応したＩＰアドレスが特定される。
【００７３】
そして、ポートＰ１のポート番号１に対応したＩＰアドレスが特定されると、そのＩＰアドレスがＩＰアドレスの要求元の端末Ｔ１に配信される（Ｓ４３）。なお、このＩＰアドレスの配信では、ＩＰアドレス配信メッセージがユニキャストにて送信される。このＩＰアドレス配信メッセージの配信先アドレスには、端末Ｔ１のＭＡＣアドレスが設定され、配信元アドレスには、ＩＰアドレス配信装置４１のＭＡＣアドレスが設定される。ここで、ＩＰアドレス配信装置４１にてＩＰアドレスが配信されると、そのＩＰアドレスの配信がどのポートのどのＭＡＣアドレスの端末を対象としたかが記憶される。
【００７４】
そして、ＩＰアドレス配信装置４１から送られたＩＰアドレスが端末Ｔ１にて受信されると、そのＩＰアドレスが端末Ｔ１のＩＰアドレスとして設定される。そして、そのＩＰアドレスを用いることにより、端末Ｔ１との間で通信を行うことができる。
【００７５】
また、ポートＰ１のポート番号１に対応したＩＰアドレスが配信された後、イーサネットスイッチ１２のポートＰ１を介してＩＰアドレス要求がＩＰアドレス配信装置１１にて再度受信されると、今回のＩＰアドレス要求に含まれる配信元のＭＡＣアドレスと、そのＩＰアドレスが既に配信された配信元のＭＡＣアドレスとが同一であるかどうかが判断される。
【００７６】
そして、今回のＩＰアドレス要求に含まれる配信元のＭＡＣアドレスと、ＩＰアドレスが既に配信された配信元のＭＡＣアドレスとが同一である場合、既に配信されたＩＰアドレスが今回のＩＰアドレスの要求元に配信される。例えば、端末Ｔ１からのＩＰアドレス要求に応じて‘１９２．１６８．１．１’というＩＰアドレスが端末Ｔ１に配信された後、イーサネットスイッチ１２のポートＰ１に接続されたまま端末Ｔ１からのＩＰアドレス要求が再度あった場合、‘１９２．１６８．１．１’というＩＰアドレスが端末Ｔ１に再度配信される。
【００７７】
一方、今回のＩＰアドレス要求に含まれる配信元のＭＡＣアドレスと、ＩＰアドレスが既に配信された配信元のＭＡＣアドレスとが異なる場合、既に配信されたＩＰアドレスと異なるＩＰアドレスが特定され、今回のＩＰアドレスの要求元に配信される。例えば、端末Ｔ１からのＩＰアドレス要求に応じて‘１９２．１６８．１．１’というＩＰアドレスが端末Ｔ１に配信された後、端末Ｔ１の代わりに端末Ｔ５がイーサネットスイッチ１２のポートＰ１に接続されたものとする。そして、端末Ｔ５からのＩＰアドレス要求がイーサネットスイッチ１２のポートＰ１を介して行われた場合、例えば、‘１９２．１６８．１．５’というＩＰアドレスが端末Ｔ５に配信される。
【００７８】
これにより、イーサネットスイッチ１２のポートＰ１に接続された端末Ｔ１に‘１９２．１６８．１．１’というＩＰアドレスが割り当てられた後、その端末Ｔ１に割り当てられたＩＰアドレスの再設定が行われる場合においても、イーサネットスイッチ１２に経路情報を問い合わせることなく、‘１９２．１６８．１．１’というＩＰアドレスを端末Ｔ１に割り当てることができる。このため、イーサネットスイッチ１２のポートＰ１に接続された端末Ｔ１に前回とは異なるＩＰアドレスが割り当てられるのを防止することが可能となることから、固定的な通信ネットワーク上で端末Ｔ１を効率よく運用することができる。
【００７９】
なお、ＩＰアドレス配信装置４１は、ＤＨＣＰサーバの代わりに使用し、端末Ｔ１〜Ｔ４は、ＤＨＣＰクライアントとして動作させるようにしてもよい。
【００８０】
また、イーサネットスイッチ１２のポートＰ１〜Ｐ４の一部に対応したＩＰアドレスをＩＰアドレス対応表１１ｃに登録し、残りのポートＰ１〜Ｐ４についてはＤＨＣＰなどのプロトコルを使用できるようにしてもよい。
【００８１】
また、図１０の実施の形態４では、図１のＩＰアドレス配信装置１１の代わりにＩＰアドレス配信装置４１を用いる方法について説明したが、図４のＩＰアドレス配信装置２１の代わりにＩＰアドレス配信装置４１を用いるようにしてもよいし、図７のＩＰアドレス配信装置３１の代わりにＩＰアドレス配信装置４１を用いるようにしてもよい。
【産業上の利用可能性】
【００８２】
以上のように本発明に係るＩＰアドレス配信装置は、ネットワーク上の物理的な配線経路に対応させてＩＰアドレスを配信することができ、通信ネットワーク上の同一の箇所に接続し直された端末に同一のＩＰアドレスを割り当てる方法に適している。
【符号の説明】
【００８３】
１１、２１、３１、４１  ＩＰアドレス配信装置
１１ａ、２１ａ、３１ａ  経路情報取得部
１１ｂ、２１ｂ、３１ｂ、４１ｂ  ＩＰアドレス特定部
１１ｃ、２１ｃ、３１ｃ、４１ｃ  ＩＰアドレス対応表
１２、１３  イーサネットスイッチ
Ｐ１〜Ｐ５  ポート
Ｔ１〜Ｔ４、Ｔ１１、Ｔ２１、Ｔ３１  端末
３１ｄ  車両情報取得部
３２  車両情報管理部
４１ａ  経路遮断部
Ｋ１〜ＫＭ  車両
【図１】
2010087259.tif 000003
【図２】
2010087259.tif 000004
【図３】
2010087259.tif 000005
【図４】
2010087259.tif 000006
【図５】
2010087259.tif 000007
【図６】
2010087259.tif 000008
【図７】
2010087259.tif 000009
【図８】
2010087259.tif 000010
【図９】
2010087259.tif 000011
【図１０】
2010087259.tif 000012
【図１１】
2010087259.tif 000013
【手続補正書】
【提出日】平成23年2月10日(2011.2.10)
【手続補正１】
【補正対象書類名】特許請求の範囲
【補正対象項目名】全文
【補正方法】変更
【補正の内容】
【特許請求の範囲】
【請求項１】
ＩＰアドレスの要求元である端末に至るまでの通信ネットワークの物理的な接続構成を示す経路情報を取得する経路情報取得部と、
前記通信ネットワークの経路情報に基づいて、前記要求元に配信されるＩＰアドレスを特定するＩＰアドレス特定部と、
を備え、
前記経路情報取得部は、
前記要求元のＭＡＣアドレスを送信したイーサネット（登録商標）スイッチのポート番号を問い合わせることで、前記経路情報を取得することを特徴とするＩＰアドレス配信装置。
【請求項２】
前記通信ネットワークの経路情報とＩＰアドレスとの対応関係が登録されたＩＰアドレス対応表を備え、
前記ＩＰアドレス特定部は、前記ＩＰアドレス対応表の参照結果に基づいて、前記通信ネットワークの経路情報に対応したＩＰアドレスを特定することを特徴とする請求項１に記載のＩＰアドレス配信装置。
【請求項３】
ＩＰアドレスの要求元に至る通信ネットワークの経路のみが有効化されるようにその他の経路を遮断する経路遮断部と、
前記経路遮断部にて有効化された通信ネットワークの経路情報に基づいて、前記要求元に配信されるＩＰアドレスを特定するＩＰアドレス特定部とを備えることを特徴とするＩＰアドレス配信装置。
【請求項４】
前記通信ネットワークの経路情報とＩＰアドレスとの対応関係が登録されたＩＰアドレス対応表を備え、
前記ＩＰアドレス特定部は、前記ＩＰアドレス対応表の参照結果に基づいて、前記経路遮断部にて有効化された経路に対応したＩＰアドレスを特定することを特徴とする請求項３に記載のＩＰアドレス配信装置。
【請求項５】
ＩＰアドレスの要求元に至る通信ネットワークの経路情報を取得する経路情報取得部と、
前記通信ネットワークが構築された列車編成の車両の位置を特定する車両情報を取得する車両情報取得部と、
前記通信ネットワークの経路情報および車両情報に基づいて、前記要求元に配信されるＩＰアドレスを特定するＩＰアドレス特定部とを備えることを特徴とするＩＰアドレス配信装置。
【請求項６】
前記通信ネットワークの経路情報と、前記車両の位置に対応して決められたＩＰアドレスとの対応関係が登録されたＩＰアドレス対応表を備え、
前記ＩＰアドレス特定部は、前記ＩＰアドレス対応表の参照結果に基づいて、前記通信ネットワークの経路情報および前記車両の位置に対応したＩＰアドレスを特定することを特徴とする請求項５に記載のＩＰアドレス配信装置。
【請求項７】
ＩＰアドレスの要求元に至る通信ネットワークの経路のみが有効化されるようにその他の経路を遮断する経路遮断部と、
前記通信ネットワークが構築された列車編成の車両の位置を特定する車両情報を取得する車両情報取得部と、
前記経路遮断部にて有効化された通信ネットワークの経路情報および車両情報に基づいて、前記要求元に配信されるＩＰアドレスを特定するＩＰアドレス特定部とを備えることを特徴とするＩＰアドレス配信装置。
【請求項８】
前記通信ネットワークの経路情報と、前記車両の位置に対応して決められたＩＰアドレスとの対応関係が登録されたＩＰアドレス対応表を備え、
前記ＩＰアドレス特定部は、前記ＩＰアドレス対応表の参照結果に基づいて、前記経路遮断部にて有効化された経路および前記車両の位置に対応したＩＰアドレスを特定することを特徴とする請求項７に記載のＩＰアドレス配信装置。
【請求項９】
ＩＰアドレスの要求元である端末に至るまでの通信ネットワークの物理的な接続構成を示す経路情報を、前記要求元のＭＡＣアドレスを送信したイーサネット（登録商標）スイッチのポート番号を問い合わせることで取得するステップと、
前記通信ネットワークの経路情報とＩＰアドレスとの対応関係が登録されたＩＰアドレス対応表の参照結果に基づいて、前記通信ネットワークの経路情報に対応したＩＰアドレスを特定するステップとを備えることを特徴とするＩＰアドレス配信方法。
【請求項１０】
ＩＰアドレスの要求元に至る通信ネットワークの経路のみが有効化されるようにその他の経路を遮断するステップと、
前記通信ネットワークの経路情報とＩＰアドレスとの対応関係が登録されたＩＰアドレス対応表の参照結果に基づいて、前記有効化された経路に対応したＩＰアドレスを特定するステップとを備えることを特徴とするＩＰアドレス配信方法。
【請求項１１】
ＩＰアドレスの要求元に至る通信ネットワークの経路情報を取得するステップと、
前記通信ネットワークが構築された列車編成の車両の位置を特定するステップと、
前記通信ネットワークの経路情報と、前記車両の位置に対応して決められたＩＰアドレスとの対応関係が登録されたＩＰアドレス対応表の参照結果に基づいて、前記通信ネットワークの経路情報および前記車両の位置に対応したＩＰアドレスを特定するステップとを備えることを特徴とするＩＰアドレス配信方法。
【請求項１２】
ＩＰアドレスの要求元に至る通信ネットワークの経路のみが有効化されるようにその他の経路を遮断するステップと、
前記通信ネットワークが構築された列車編成の車両の位置を特定する車両情報を取得するステップと、
前記通信ネットワークの経路情報と、前記車両の位置に対応して決められたＩＰアドレスとの対応関係が登録されたＩＰアドレス対応表の参照結果に基づいて、前記有効化された経路および前記車両の位置に対応したＩＰアドレスを特定するステップとを備えることを特徴とするＩＰアドレス配信方法。
【手続補正書】
【提出日】平成23年5月27日(2011.5.27)
【手続補正１】
【補正対象書類名】特許請求の範囲
【補正対象項目名】全文
【補正方法】変更
【補正の内容】
【特許請求の範囲】
【請求項１】
ＩＰアドレスの要求元である端末に至るまでの通信ネットワークの物理的な接続構成を示す経路情報を取得する経路情報取得部と、
前記通信ネットワークの経路情報に基づいて、前記要求元に配信されるＩＰアドレスを特定するＩＰアドレス特定部と、
前記通信ネットワークの経路情報とＩＰアドレスとの対応関係が登録されたＩＰアドレス対応表と、
を備え、
前記経路情報取得部は、前記要求元のＭＡＣアドレスを送信したイーサネット（登録商標）スイッチのポート番号を問い合わせることで前記経路情報を取得し、
前記ＩＰアドレス特定部は、前記ＩＰアドレス対応表の参照結果に基づいて、前記通信ネットワークの経路情報に対応したＩＰアドレスを特定する場合に、同一経路の端末からのＩＰアドレス要求に対して、ＩＰアドレス配信済みの端末と異なるＭＡＣアドレスを持つ端末には、前記ＩＰアドレス配信済みの端末と異なるＩＰアドレスを特定して配信する、
ことを特徴とするＩＰアドレス配信装置。
【請求項２】
ＩＰアドレスの要求元に至る通信ネットワークの経路情報を取得する経路情報取得部と、
前記通信ネットワークが構築された列車編成の車両の位置を特定する車両情報を取得する車両情報取得部と、
前記通信ネットワークの経路情報および車両情報に基づいて、前記要求元に配信されるＩＰアドレスを特定するＩＰアドレス特定部と、
前記通信ネットワークの経路情報と、前記車両の位置に対応して決められたＩＰアドレスとの対応関係が登録されたＩＰアドレス対応表と、
を備え、
前記ＩＰアドレス特定部は、前記ＩＰアドレス対応表の参照結果に基づいて、前記通信ネットワークの経路情報および前記車両の位置に対応したＩＰアドレスを特定する場合に、同一経路の端末からのＩＰアドレス要求に対して、ＩＰアドレス配信済みの端末と異なるＭＡＣアドレスを持つ端末には、前記ＩＰアドレス配信済みの端末と異なるＩＰアドレスを特定して配信する、
ことを特徴とするＩＰアドレス配信装置。
【請求項３】
ＩＰアドレスの要求元である端末に至るまでの通信ネットワークの物理的な接続構成を示す経路情報を、前記要求元のＭＡＣアドレスを送信したイーサネット（登録商標）スイッチのポート番号を問い合わせることで取得するステップと、
前記通信ネットワークの経路情報とＩＰアドレスとの対応関係が登録されたＩＰアドレス対応表の参照結果に基づいて、前記通信ネットワークの経路情報に対応したＩＰアドレスを特定するステップと、
を備える場合に、
前記ＩＰアドレスを特定するステップでは、同一経路の端末からのＩＰアドレス要求に対して、ＩＰアドレス配信済みの端末と異なるＭＡＣアドレスを持つ端末には、前記ＩＰアドレス配信済みの端末と異なるＩＰアドレスを特定して配信する、
ことを特徴とするＩＰアドレス配信方法。
【請求項４】
ＩＰアドレスの要求元に至る通信ネットワークの経路情報を取得するステップと、
前記通信ネットワークが構築された列車編成の車両の位置を特定するステップと、
前記通信ネットワークの経路情報と、前記車両の位置に対応して決められたＩＰアドレスとの対応関係が登録されたＩＰアドレス対応表の参照結果に基づいて、前記通信ネットワークの経路情報および前記車両の位置に対応したＩＰアドレスを特定するステップと、
を備える場合に、
前記ＩＰアドレスを特定するステップでは、同一経路の端末からのＩＰアドレス要求に対して、ＩＰアドレス配信済みの端末と異なるＭＡＣアドレスを持つ端末には、前記ＩＰアドレス配信済みの端末と異なるＩＰアドレスを特定して配信する、
ことを特徴とするＩＰアドレス配信方法。
【国際調査報告】
2010087259.tif 000014
2010087259.tif 000015
2010087259.tif 000016
2010087259.tif 000017
2010087259.tif 000018
2010087259.tif 000019
2010087259.tif 000020